(57)【要約】【課題】  従来の画像形成装置における、操作の煩わしさや誤操作を解消し、原稿のセキュリティを確保することにある。【解決手段】  本発明の画像形成装置は、本体の下部に設けられ原稿が収納される原稿収納部と、前記原稿収納部の原稿給紙方向の端部に設けられ前記原稿を前記原稿収納部から送出する原稿送出部と、原稿についての操作を受け付け、当該受け付けた操作内容を表示する第１の操作表示手段と、前記原稿収納部前記原稿送出部および前記操作表示手段を備える原稿給紙手段と、搬送されてきた前記原稿を排紙する原稿排紙手段と、前記原稿給紙手段と前記原稿排紙手段との間に設けられ前記原稿送出部より送出された前記原稿を前記原稿排紙部へ搬送する原稿搬送手段と、前記原稿給紙手段、前記原稿搬送手段または前記原稿排紙部に近設し、前記原稿の画像を読み取って画像データを作成する第１の原稿読取手段から構成される。【選択図】図１
2007150854.tif 000002
【特許請求の範囲】
【請求項１】
本体の下部に設けられ、原稿が収納される原稿収納部と、
前記原稿収納部の原稿給紙方向の端部に設けられ、前記原稿を前記原稿収納部から送出する原稿送出部と、
原稿についての操作を受け付け、当該受け付け操作内容を表示する第１の操作表示手段と、
前記原稿収納部、前記原稿送出部および前記操作表示手段を備える原稿給紙手段と、
搬送されてきた前記原稿を排紙する原稿排紙手段と、
前記原稿給紙手段と前記原稿排紙手段との間に設けられ、前記原稿送出部より送出された前記原稿を前記原稿排紙部へ搬送する原稿搬送手段と、
前記原稿給紙手段、前記原稿搬送手段または前記原稿排紙部に近設し、前記原稿の画像を読み取って、画像データを作成する第１の原稿読取手段を有する画像形成装置。
【請求項２】
前記第１の操作表示手段は、原稿についての操作を受け付ける操作部と、
前記操作部とは別設され、前記操作部で受け付けた操作内容を表示する表示部を有する請求項１に記載の画像形成装置。
【請求項３】
前記原稿収納部よりも上方に設けられ、前記原稿を載置する原稿載置部と、
前記原稿載置部に載置された前記原稿の画像を読み取って、画像データを作成する第２の原稿読み取り手段と、
前記第１の操作表示手段の上方に設けられ、原稿についての操作を受け付け、当該受け付けた操作内容を表示する第２の操作表示手段を有する請求項１または請求項２に記載の画像形成装置。
【請求項４】
用紙が収納される原稿収納部と、
前記原稿収納部に収納されている用紙の属性を記憶する収納用紙設定手段と、
前記原稿収納部の用紙給紙方向の端部に設けられ、前記用紙を前記原稿収納部から送出する原稿送出部と、
前記原稿収納部および前記原稿送出部を備える原稿給紙手段と、
当該属性が記録紙のとき、搬送されてきた前記用紙を印刷する印刷手段と、
当該属性が記録紙のとき、前記原稿給紙手段と前記印刷部との間に設けられ、原稿給紙手段により給紙された前記用紙を、印刷部へ搬送する記録紙搬送手段と、
当該属性が原稿のとき、搬送されてきた前記用紙を排紙する原稿排紙手段と、
当該属性が原稿のとき、前記原稿給紙手段と前記原稿排紙手段との間に設けられ、前記原稿送出部より送出された前記用紙を前記原稿排紙部へ搬送する原稿搬送手段と、
当該属性が原稿のとき、前記原稿給紙手段、前記原稿搬送手段または前記原稿排紙部に近設し、前記用紙の画像を読み取って、画像データを作成する第１の原稿読取手段を有する画像形成装置。
【請求項５】
前記原稿給紙手段は、前記原稿についての操作を受け付け、当該受け付けた操作内容を表示する第１の操作表示手段を有する請求項４に記載の画像形成装置。
【請求項６】
前記第１の操作表示手段は、原稿についての操作を受け付ける操作部と、
前記操作部とは別設され、前記操作部で受け付けた操作内容を表示する表示手段を有する請求項５に記載の画像形成装置。
【請求項７】
前記原稿収納部は本体の下部に設けられており、
前記原稿収納部よりも上方に設けられ、前記原稿を載置する原稿載置部と、
前記原稿載置部に載置された前記原稿の画像を読み取って、画像データを作成する第２の原稿読み取り手段と、
前記第１の操作表示手段の上方に設けられ、原稿についての操作を受け付け、当該受け付けた操作内容を表示する第２の操作表示手段を有する請求項４に記載の画像形成装置。
【請求項８】
前記原稿給紙手段は、前記原稿排紙手段を有する請求項１〜請求項７の何れかに記載の画像形成装置。
【請求項９】
前記原稿排紙手段は、前記原稿を排出する原稿排出部と、
前記原稿給紙手段に設けられ、前記原稿収納手段を施錠する施錠手段を有し、
前記原稿収納部は、前記原稿送出部から送出された前記原稿を受けて、収納する請求項８に記載の画像形成装置。
【請求項１０】
前記原稿給紙手段は、前記原稿収納部を開閉する開閉手段を有する請求項１〜請求項９の何れかに記載の画像形成装置。
【発明の詳細な説明】
【技術分野】
【０００１】
本発明は、原稿画像を読み取り、画像データを作成する画像形成装置に関する。
【背景技術】
【０００２】
スキャナや複写機などの画像形成装置においては、原稿の画像を読み込んで画像データを作成し、この画像データを印刷や転送などの出力に用いる。
【０００３】
従来、これらの画像形成装置において、操作者は部数、変倍、集約印刷などの印刷に関する各種設定を行う場合、装置上部に設けられている表示操作部を操作するか、当該装置と接続されているパーソナルコンピュータ等の端末装置を操作していた。
【０００４】
特許文献１には、記録紙と原稿の給紙を兼ねる給紙カセットを有する画像形成装置が記載されている。当該従来の画像形成装置においては、記録紙が給紙カセットにセットされている場合には、記録紙は転写、定着工程を通って印刷され外部に排出される。一方、原稿がセットされている場合には、操作者が原稿セットスイッチをＯＮにすることにより、原稿は転写、定着工程を通らずに、記録紙とは他の搬送路を通って給紙カセットに排出される。読み取りセンサが搬送路上に設置されており、原稿がこの読み取りセンサを通過する際に原稿の画像を読み取る。特許文献１の発明によると、原稿が画像形成プロセスを通らないため原稿の汚れやカール等を防ぐことができ、搬送路の短縮により紙詰まりの確率が減少することが可能になる。
【特許文献１】特開平３−２８７２８７号公報
【発明の開示】
【発明が解決しようとする課題】
【０００５】
しかしながら、特許文献１に記載の画像形成装置においては、部数や拡大／縮小など印刷に関する設定をプリンタと接続されたパーソナルコンピュータから行わなければならなかった。
【０００６】
このため、操作者は印刷設定の操作を行う端末と、実際に原稿読み取りを行う装置との間を行き来しなければならず、作業が煩わしいものになってしまっていた。特に、体の不自由な操作者にとっては、負担が大きかった。
【０００７】
更に、従来の一般的な画像形成装置において、装置上部に設置されている表示操作部を操作しなければならなかった。特に、操作者が車椅子に乗っている場合や子供である場合には、原稿読み取り作業に相当な負担を強いることになる。
【０００８】
また、特許文献１の画像形成装置においては、原稿読み取りを行いたい場合、操作者がその都度、原稿セットスイッチをＯＮにしなければならないので、操作が煩わしいだけでなく、原稿に印刷してしまう恐れがあった。
【０００９】
また、特許文献１の画像形成装置においては、画像読み取りの終了した原稿は給紙カセットに戻される。このため、悪意のある者が原稿を持ち去ることにより、機密情報が漏洩する恐れがある。
【課題を解決するための手段】
【００１０】
本発明の第１の画像形成装置は、本体の下部に設けられ原稿が収納される原稿収納部と、前記原稿収納部の原稿給紙方向の端部に設けられ前記原稿を前記原稿収納部から送出する原稿送出部と、原稿についての操作を受け付け、当該受け付けた操作内容を表示する第１の操作表示手段と、前記原稿収納部、前記原稿送出部および前記操作表示手段を備える原稿給紙手段と、搬送されてきた前記原稿を排紙する原稿排紙手段と、前記原稿給紙手段と前記原稿排紙手段との間に設けられ、前記原稿送出部より送出された前記原稿を前記原稿排紙部へ搬送する原稿搬送手段と、前記原稿給紙手段、前記原稿搬送手段または前記原稿排紙部に近設し、前記原稿の画像を読み取って、画像データを作成する第１の原稿読取手段を有することを特徴とする。
【００１１】
上記第１の画像形成装置は、更に以下の構成を付加することができる。
・前記操作表示手段は、原稿についての操作を受け付ける操作部と、前記操作部とは別設され前記操作部で受け付けた操作内容を表示する表示部を有する
・前記原稿収納部よりも上方に設けられ、前記原稿を載置する原稿載置部と、
前記原稿載置部に載置された前記原稿の画像を読み取って画像データを作成する第２の原稿読み取り手段と、前記第１の操作表示手段の上方に設けられ、原稿についての操作を受け付け当該受け付けた操作内容を表示する第２の操作表示手段を有する。
【００１２】
本発明の第２の画像形成装置は、用紙が収納される原稿収納部と、前記原稿収納部に収納されている用紙の属性を記憶する収納用紙設定手段と、前記原稿収納部の用紙給紙方向の端部に設けられ、前記用紙を前記原稿収納部から送出する原稿送出部と、前記原稿収納部および前記原稿送出部を備える原稿給紙手段と、当該属性が記録紙のとき搬送されてきた前記用紙を印刷する印刷手段と、当該属性が記録紙のとき前記原稿給紙手段と前記印刷部との間に設けられ、原稿給紙手段により給紙された前記用紙を印刷部へ搬送する記録紙搬送手段と、当該属性が原稿のとき搬送されてきた前記用紙を排紙する原稿排紙手段と、当該属性が原稿のとき前記原稿給紙手段と前記原稿排紙手段との間に設けられ、前記原稿送出部より送出された前記用紙を前記原稿排紙部へ搬送する原稿搬送手段と、当該属性が原稿のとき前記原稿給紙手段、前記原稿搬送手段または前記原稿排紙部に近設し、前記用紙の画像を読み取って画像データを作成する第１の原稿読取手段を有することを特徴とする。
【００１３】
上記第２の画像形成装置は、更に以下の構成を付加することができる。
・前記原稿給紙手段は、前記原稿についての操作を受け付け、当該受け付けた操作内容を表示する第１の操作表示手段を有する。
・前記第１の操作表示手段は、原稿についての操作を受け付ける操作部と、
前記操作部とは別設され、前記操作部で受け付けた操作内容を表示する表示手段を有する。
・前記原稿収納部は本体の下部に設けられており、前記原稿収納部よりも上方に設けられ、前記原稿を載置する原稿載置部と、前記原稿載置部に載置された前記原稿の画像を読み取って画像データを作成する第２の原稿読み取り手段と、
前記第１の操作表示手段の上方に設けられ、原稿についての操作を受け付け、当該受け付けた操作内容を表示する第２の操作表示手段を有する。
【００１４】
上記第１および第２の画像形成装置は、更に以下の構成を付加することができる。
・前記原稿給紙手段は、前記原稿排紙手段を有する。
・前記原稿排紙手段は、前記原稿を排出する原稿排出部と、前記原稿給紙手段に設けられ前記原稿収納手段を施錠する施錠手段を有し、前記原稿収納部は、前記原稿送出部から送出された前記原稿を受けて収納する。
・前記原稿給紙手段は、前記原稿収納部を開閉する開閉手段を有する。
【発明の効果】
【００１５】
本発明の第１の画像形成装置によれば、原稿収納部への原稿のセット、原稿の画像読み取りや印刷設定の操作を低い位置で、かつ移動を伴わずに行うことできる。従って、体の不自由な人、特に車椅子に乗った人や、子供でも負担なく、原稿読み取りやコピー作業を行うことが可能になる。
【００１６】
更に、操作部を表示部と別設することにより、操作性を向上させることができる。
【００１７】
また、従来の画像形成装置と同様に、第２の原稿読み取り手段と第２の操作表示部を装置上部に設けることにより、操作者に応じた操作性を提供することができる。
【００１８】
本発明の第２の画像形成装置によれば、原稿収納部を記録紙の収納部としても使用できるので、装置の小型化が可能になる。更に、収納用紙設定手段により用紙の属性が記憶されているので、操作者が誤った操作を行って、原稿に印刷をしてしまったり、記録紙の白紙面を読み取ったりすることが無くなる。
【００１９】
更に、原稿収納部への原稿のセット、原稿の画像読み取りや印刷設定の操作を、移動を伴わずに行うことできる。
【００２０】
加えて、操作部を表示部と別設することにより、操作性を向上させることができる。
【００２１】
また、従来の画像形成装置と同様に、第２の原稿読み取り手段と第２の操作表示部を装置上部に設けることにより、操作者に応じた操作性を提供することができる。
【００２２】
本発明の第１および第２の画像形成装置によれば、原稿収納部を読み取り後の原稿排出先とすることにより、原稿のセットと取り出しを同じ位置でできるので、負担無く作業を行うことができる。
【００２３】
更に、原稿収納部を施錠することにより、他人による原稿の盗難などを防ぐことができ、セキュリティが向上する。
【００２４】
また、開閉手段を設けることにより、楽に原稿収納部を開けることができるので、特に体の不自由な人の作業負担を軽くすることができる。
【発明を実施するための最良の形態】
【００２５】
以下、本発明の画像形成装置の一実施形態を適用した複写機について、図面を参照して説明する。
【００２６】
図１は、本実施形態による複写機の全体構成を示している。また、図２は当該複写機の外面図を示している。
【００２７】
図１に示すように、複写機１０は、本体１０１に印刷手段１００と、給紙手段２００とを備えている。
【００２８】
原稿給紙手段２００は、複数個（図示の場合、三個）の原稿収納部２１０ａ、２１０ｂおよび２１０ｃと、原稿送出部２２０と、給紙経路２２４との構成を有している。
【００２９】
上記原稿収納部２１０ａ、２１０ｂおよび２１０ｃは、それぞれ原稿または記録紙（以下、原稿と記録紙を総称して「用紙」と記載する。）を収納し得るようになっている。
【００３０】
用紙の種類は、例えば普通紙，光沢紙（光沢フィルム），フォトペーパー，厚紙，ＯＨＰシート，プレプリント紙，プレパンチ，うす紙，ざら紙等がある。
【００３１】
原稿送出部２２０は、各原稿収納部２１０ａ、２１０ｂおよび２１０ｃの前端上部に設けられた給紙ローラ２２１ａ、２２１ｂおよび２２１ｃと、その前方に設けられたさばきローラ対２２２ａ、２２２ｂおよび２２２ｃと、レジストローラ対２２３および２２５とから構成される。そして、用紙を各原稿収納部２１０に対応するさばきローラ対２２２からレジストローラ対２２３または２２５まで導く給紙経路２２４が設けられている。
【００３２】
これにより、制御ユニット１１５により指定された原稿収納部２１０（２１０ａ〜２１０ｃ）に対応する給紙ローラ２２１（２２１ａ〜２２１ｃ）が下方に移動して、当該原稿収納部２１０（２１０ａ〜２１０ｃ）内に収容された用紙のうち、一番上に位置する用紙を前方（図面にて右方）に移動させ、さばきローラ対２２２（２２２ａ〜２２２ｃ）により挟持して、給紙経路２２４に送出するようになっている。
【００３３】
レジストローラ対２２３および２２５は、用紙が当該レジストローラ対に到達したら、当該用紙を撓ませて傾きを補正した後、回転して当該原稿を印刷手段１００または移動経路２２４へ引き渡す。
【００３４】
また、給紙経路２２４と途中から分岐して原稿収納部２１０の後方に延びる移動経路２３１と、この移動経路２３１から原稿収納部２１０に対してそれぞれ分岐して導かれる分岐路２３２ａ、２３２ｂおよび２３２ｃを備えている。
【００３５】
なお、上記移動経路２３１から各分岐路２３２（２３２ａ〜２３２ｃ）への分岐点には、図示しないガイド部材が設けられており、これらのガイド部材が切り替え移動されることにより、移動経路２３１を搬送されてくる用紙は、原稿排出ローラ２３３ａ、２３３ｂおよび２３３ｃにより、所定の原稿収納部２１０（２１０ａ〜２１０ｃ）に搬入される。
【００３６】
以上のように、分岐路２３２（２３２ａ〜２３２ｃ）、ガイド部材および排出ローラ２３３ａ、２３３ｂおよび２３３ｃにより、原稿排紙手段が構成されており、この原稿排紙手段は原稿給紙手段２００に組み込まれる構成となっている。そして、原稿給紙手段２００と原稿排紙手段との間に、移動経路２３１と搬送ローラ対とで構成される原稿搬送手段２３０が設けられている。
【００３７】
第１の原稿読み取り手段は、読み取りセンサ１１１、露光ランプ１１４および画像作成モジュール（制御ユニット１１５が兼用する。）で構成される。読み取りセンサ１１１および露光ランプ１１４は、移動経路２３１に近設されており、移動経路２３１を移動する原稿の画像を読み取ることが出るようになっている。画像作成モジュールは、読み取りセンサ１１１が読み取って出力した信号を処理して、画像データを作成する。
【００３８】
原稿収納部２１０ａの前側外面には、操作部５２０が、操作部５２０の左側の本体１０１の外面には表示部５１０がそれぞれ設けられている。操作部５２０に設けられている操作キーを操作することにより、原稿についての各種設定、例えば原稿種類、読み取り解像度、印刷時の濃度、変倍率、集約などの特殊印刷等を設定することができる。表示部５１０は操作部５２０で入力した内容や、複写機１０のステータスなどを表示する。表示部５１０と操作部５２０で操作表示部を構成している。
【００３９】
ここで、操作部５２０を操作することにより、原稿収納部２１０（２１０ａ〜２１０ｃ）に収納する用紙の属性（原稿または記録紙）を設定すると、制御ユニット１１５が有する収納用紙設定手段１１５ａにより、当該属性が登録され記憶される。
【００４０】
原稿収納部２１０（２１０ａ〜２１０ｃ）の右側の本体１０１外面には、開閉スイッチ４００ａ、４００ｂおよび４００ｃが設けられている。この開閉手段（開閉スイッチ）４００（４００ａ〜４００ｃ）を操作することにより、原稿収納部２１０（２１０ａ〜２１０ｃ）側面に水平に取り付けられた図示しないラックに噛合する図示しないピニオンをモータ駆動させ、対応する原稿収納部２１０（２１０ａ〜２１０ｃ）を開閉動作させる。
【００４１】
なお、本実施形態においては、これら操作表示部および開閉手段４００（４００ａ〜４００ｃ）は、原稿給紙手段２００に組み込まれる構成となっている。
【００４２】
図３は本実施形態の複写機の原稿収納部を引き出した状態を示す図である。図４は本実施形態の複写機の施錠手段を示す図である。
【００４３】
図３に示すように、原稿収納部２１０ａは、本体１０１における挿脱口（開口部）１２から矢印方向に引き出すことが可能である。
【００４４】
挿脱口１２の手前左側には、施錠手段を構成するソレノイド１３が取り付けられている。また、原稿収納部２１０ａの前面板２１の裏面側であって、ソレノイド１３に対向した位置には、図４に示すような施錠手段を構成するＬ字状のブラケット２２が取り付けられている。そして、ソレノイド１３の挿脱棒１３ａがブラケット２２の係止孔２２ａに挿脱されることにより、施錠状態および開錠状態が確保される。
【００４５】
なお、本実施形態においては、前記施錠手段は原稿給紙手段２００に組み込まれた構成となっている。
【００４６】
本体１０１の上部には、原稿載置部（原稿トレイ）３１０、原稿搬送路３１５、原稿排出トレイ３１７、読み取りセンサ３１１および露光ランプ３１２が設けられている。読み取りセンサ３１１と露光ランプ３１２は、上記画像作成モジュールと共に第２の原稿読み取り手段を構成する。
【００４７】
原稿載置部３１０にセットされた原稿が原稿搬送路３１５を通って、読み取りセンサ３１１の上方に達すると、露光ランプ３１２が点灯し、読み取りセンサ３１１が当該原稿の画像を読み取る。当該原稿はこの後、原稿排出トレイ３１７へ排紙される。上記読み取られて出力された信号は、前記画像モジュールで処理され画像データが作成される。
【００４８】
本体１０１の上面には、第２の操作表示手段３００が設けられており、上記第１の操作表示手段と同様に、各種入力操作や設定操作を行なう操作手段と、操作手段の入力内容や設定内容あるいは装置のステータス等を表示する表示手段とを備えている。
【００４９】
第２の操作表示手段３００から操作することにより、上述の原稿についての各種設定等が行なわれることになる点については、前記第１操作表示手段と同様である。更に、第２の操作表示手段３００から、原稿収納部２１０（２１０ａ〜２１０ｃ）に収納する用紙の属性（原稿または記録紙）を設定することも可能である。
【００５０】
印刷手段１００は、公知の複合機、ファクシミリ装置等と同様に記録紙に画像を印刷する手段であって、前記第１の読み取り手段または前記第２の読み取り手段で作成した画像データを、前記操作表示部で入力した原稿についての設定に基づいて、原稿給紙手段２００により給紙される記録紙に印刷出力するようになっている。
【００５１】
すなわち、印刷手段１００は、回転駆動される円筒状の感光体ドラム１２１と、この感光体ドラム１２１の回転方向に順次に配置された感光体ドラム１２１の表面の感光層を帯電させる帯電器１２２，この感光層上にレーザ光線を照射することにより画像データに対応する潜像を形成するレーザユニット１１６、この感光層上に形成された静電潜像をトナー顕像として顕像化する現像装置１２３，感光層上に形成されたトナー顕像を記録紙に転写する転写用放電器１２４，感光体ドラム１２１から記録紙を分離する分離用放電器１２５，転写後に感光体ドラム１２１上に残留するトナーを除去するクリーニング装置１２６，感光体ドラム１２１表面の電荷を除去する除電器１２７を備えている。
【００５２】
これにより、原稿給紙手段２００から給紙される記録紙が、感光体ドラム１２１の表面に対して、現像装置１３と転写用放電器１４の間で当接しながら図面にて左方に搬送されることにより、記録紙の表面にトナー顕像が転写され、定着ローラ対１２８でトナー顕像が記録紙の表面に定着された後、排出ローラ１２９を介して排出トレイ１３０上に排紙されるようになっている。
【００５３】
そして、制御ユニット１１５は、この画像信号に基づいて、レーザユニット１１６を駆動して、レーザ光を後述するプリント機構１２０の感光体ドラム１２１に照射するようになっている。
【００５４】
上述の複写機１０の用紙に対する読み取りや印刷に関する動作全般は、制御手段としての制御ユニット１１５により制御されるようになっている。
【００５５】
次に、操作者が原稿収納部２１０ａに原稿をセットして、コピー作業を行う場合を例にとって説明する。ここで、原稿収納部２１０ａは収納用紙設定手段により原稿に設定されており、原稿収納部２１０ｂおよび２１０ｃは記録紙に設定されている（更に実際に記録紙がセットされている）ものとする。
【００５６】
まず、操作者は操作部５２０よりパスワードを入力し、開閉スイッチ４００ａを押す。パスワード認証が成功すると、上記施錠手段のソレノイド１３挿脱棒１３ａが係止口２２ａから引き抜かれることにより、開錠される。その後、原稿収納部２１０ａがモータ駆動により手前に引き出されて原稿をセットできる状態となる。このとき、表示部５１０は原稿収納部２１０ａが引き出された旨の表示を行うが、表示部５１０は本体１０１に設けられており固定されているため、表示が見やすくなっている。操作者が原稿をセットして開閉スイッチ４００ａを押すと、原稿収納部２１０ａは再び本体１０１に挿入され、ソレノイド１３の挿脱棒１３ａが係止口２２ａに挿入され原稿収納部２１０ａが施錠される。
【００５７】
ここで、操作部５２０を操作して、原稿についての設定を行う。表示部５１０には設定した内容が表示される。操作部５２０にてスタートキーを操作すると、原稿読み取り動作が開始される。このとき、収納用紙設定手段１１５ａにより原稿収納部２１０ａの用紙属性が原稿と設定されているので、原稿収納部２１０ａにセットされている用紙を原稿とみなして、原稿給紙を開始する。
【００５８】
さて、原稿収納部２１０ａにセットされている原稿は、原稿給紙手段２００によりレジストローラ２２５まで給紙される。当該原稿は、レジストローラ２２５で一旦、傾きとタイミングを合わせてから、移動経路２３１に引き渡される。移動経路２３１を搬送される原稿は、読み取りセンサ１１１の下方を通過する。この際、露光ランプ１１４が点灯して、原稿に照射され、反射光を読み取りセンサ１１１で読み取って電気信号に変換して、制御ユニット１１５の画像作成モジュールに出力する。当該画像作成モジュールは受信した信号から画像データを作成する。
【００５９】
原稿は移動経路２３１を通って、原稿排出ローラ２３３ａから分岐路２３２ａに搬送され、再び原稿収納部２１０ａに収納されることになる。
【００６０】
全ての原稿読み取りが終了すると、原稿収納部２１０ｂ（または２１０ｃ）から、レジストローラ対２２３まで記録紙が給紙される。当該記録紙は、レジストローラ２２３で一旦、傾きとタイミングを合わせてから、印刷手段１００に引き渡される。印刷手段１００は、上述したように記録紙に上記作成された画像データを印刷して排出トレイ１３０に排出する。
【００６１】
印刷が終了した後、操作者が操作部５２０よりパスワードを入力して開閉スイッチ４００ａを操作する。ここで認証が成功すると、原稿収納部２１０ａが開錠され引き出されるので、原稿を取り出すことができる。再度、開閉スイッチ４００ａを操作すると原稿収納部２１０ａが本体１０１に挿入されて、施錠される。
【００６２】
なお、原稿読み取りが開始されてから、原稿読み取りまたは／および印刷処理が終了するまでの間は、パスワード入力して開閉スイッチ４００ａを操作しても、原稿収納部２１０ａは引き出されない。これは、複写機駆動中に誤って原稿収納部２１０ａを引き出せないようにして、安全を確保するものである。
【００６３】
上記の実施形態の変形例として、以下のような構成としてもよい。
【００６４】
原稿をセットする原稿収納部を２１０ｂ、２１０ｃとしてもよい。この場合、収納用紙設定手段１１５ａにて原稿収納部２１０ｂまたは２１０ｃの用紙属性を「原稿」に設定すればよい。
【００６５】
パスワード認証により、原稿収納部２１０ａを開錠する代わりに、開閉スイッチ４００（４００ａ〜４００ｃ）に指紋センサまたは静脈センサ等を設けて指紋認証、または掌静脈パターンによる認証にて開錠してもよい。
【００６６】
特にパスワード等の認証が必要ない場合は、原稿読み取りが開始されたら原稿収納部２１０ａを自動的に施錠し、原稿読み取りあるいは印刷処理が終了すると自動的に開錠するようにしても良い。
【００６７】
収納用紙設定手段１１５ａに記憶されている用紙属性で原稿を判断する代わりに、第１の操作表示手段の操作部５２０を操作した場合は、原稿収納部２１０ａにセットされている用紙を原稿と見なして、原稿読み取りを開始しても良い。逆に第２の操作表示手段３００を操作した場合は、原稿載置部２１０にセットされた用紙を原稿と見なしてもよい。
【００６８】
また、原稿載置部３１０の上面にリミットスイッチ等の用紙検知センサを設け、何らかの用紙がセットされていると検知した場合（リミットスイッチＯＮ）は、それを原稿と見なして第２の読み取り手段により、原稿読み取りを開始しても良い。逆に、原稿収納部２１０ａの底面にリミットスイッチ等の用紙検知センサを設けてもよい。この場合、原稿収納部２１０ａが「原稿」と設定されており、且つ何らかの用紙がセットされていると検知した（リミットスイッチＯＮ）ときに、それを原稿と見なして第１の読み取り手段により、原稿読み取りを開始すればよい。また、上記で原稿収納部２１０ａと原稿載置部３１０の両方に用紙検知センサを設け、両方とも用紙がセットされていると検知した場合は、予めどちらを優先するか決めておけばよい。この優先順位は、第１の操作表示手段（原稿収納部２１０ａ優先）と第２の操作表示手段（原稿載置部３１０優先）のいずれを操作したかで、決めても良い。
【００６９】
読み取りセンサ１１１と露光ランプ１１４は、必ずしも原稿搬送手段２３０の移動経路２３１に近設する必要は無く、原稿給紙手段の給紙経路２２４、または原稿排紙部の分岐路２３３（２３３ａ〜２３３ｃ）に近設してもよい。
【００７０】
本発明の画像形成装置は、複写機の他、スキャナまたはファクシミリ装置でも良い。スキャナの場合は印刷手段１００が不要になる。また、ファクシミリ装置の場合は外部からの発呼信号を受信してファクシミリデータを受信するためのインタフェースと、ファクシミリデータを画像データに変換する手段を設ければよい。更に、プリンタ機能を付加して、外部端末からの印刷データを受信して印刷するようにしても良い。
【００７１】
なお、原稿収納部２１０ａの用紙属性が「記録紙」に設定されている場合は、原稿収納部２１０ａにセットされている用紙を記録紙とみなす。従って、この記録紙（用紙）に、前記第２の原稿読み取り手段により作成された画像データ、ファクシミリデータ、印刷データを印刷することができる。このとき、原稿収納部２１０ａにセットされている記録紙は、原稿給紙手段２００によりレジストローラ対２２３まで給紙される。次いで、当該記録紙は、レジストローラ２２５で一旦、傾きとタイミングを合わせてから、印刷手段１００に引き渡され、上記と同様に印刷が行われた後、排出トレイ１３０に排紙される。
【図面の簡単な説明】
【００７２】
【図１】本実施形態による複写機の全体構成図。
【図２】本実施形態による複写機の外面図。
【図３】本実施形態の複写機の原稿収納部を引き出した状態を示す図。
【図４】本実施形態の複写機の施錠手段を示す図。
【符号の説明】
【００７３】
１０          複写機
１２          挿脱口
１３          ソレノイド
１３ａ        挿脱棒
２２ａ        係止口
１１１        読み取りセンサ
１１５ａ      収納用紙設定手段
２００        原稿給紙手段
２１０ａ〜ｃ  原稿収納部
２２０        原稿送出部
２３０        原稿搬送手段
２３２ａ〜ｃ  分岐路
２３３ａ〜ｃ  原稿排出ローラ
４００ａ〜ｃ  開閉スイッチ
５１０        表示部
５２０        操作部
【図１】
2007150854.tif 000003
【図２】
2007150854.tif 000004
【図３】
2007150854.tif 000005
【図４】
2007150854.tif 000006